(57)【要約】【課題】頭部の形状を改良することで止ねじによる組立間違いを防止し、品質信頼性向上を図る。【解決手段】有頭ねじ１の頭部３が工具受部５と下受面８と傾斜受面９とを備えた形状であって、胴体２が一方の部材１１の貫通孔１３から他方の部材１２のねじ孔１４に挿入され、雄ねじ４が他方の部材１２のねじ孔１４と嵌合するのに伴い、下受面８が一方の部材１１における貫通孔１３周りの表面に接触し、その反作用で、一方の部材１１と他方の部材１２とが互いに締結される。また、胴体２が一方の部材１１の皿孔１５から他方の部材１２のねじ孔１４に挿入され、雄ねじ４が他方の部材１２のねじ孔１４と嵌合するのに伴い、傾斜受面９が一方の部材１１における皿孔１５の斜面に接触し、その反作用で、一方の部材１１と他方の部材１２とが互いに締結される。【選択図】        図１
2004197910.tif 000002
【特許請求の範囲】
【請求項１】
外周面に雄ねじの形成された胴体と胴体の一端に胴体より直径の大きな頭部とを備えた有頭ねじにおいて、頭部が上面に形成された工具受部と、胴体から径方向外側に突出する環状の下受面と、下受面の外周縁から上方に行くに従って徐々に直径の大きくなる環状の傾斜受面とを備えたことを特徴とする有頭ねじ。
【請求項２】
請求項１の有頭ねじで組み立てられたことを特徴とする有頭ねじを使用した遊技部品。
【発明の詳細な説明】
【０００１】
【発明の属する技術分野】
本発明は有頭ねじおよびそれを使用した遊技部品に関する。
【０００２】
【従来の技術】
従来のパチンコ機の遊技盤に取り付けられる遊技部品は、例えば、皿頭ねじや鍋頭ねじなど頭部形状の異なる多種多様な有頭ねじが使用されて組み立てられている。
【０００３】
【発明が解決しようとする課題】
しかしながら、パチンコ機は流行の移り変わりの激しい製品であって、多品種少量生産であるため、パチンコ機に取り付けられる入賞部品、表示灯部品、報知部品、飾り部品などの遊技部品は人手で組み立てられている。このため、前記従来例のように１つの部品において多種多様な止ねじが使用されていると、その１つの部品を組み立てる場合に或る個所に使用するべき止ねじを別の個所に使用するという組立間違いが発生することがあり、そのような組立間違いが起こると、品質信頼性が悪くなることから、組立の完成した遊技部品の検査に多大な労力と時間がかかり、コストダウンを図るにも限度があるという問題点があった。
【０００４】
そこで、本発明は、頭部の形状を改良することで止ねじによる組立間違いを防止し、品質信頼性を向上することができる有頭ねじおよびそれを使用した遊技部品を提供するものである。
【０００５】
【課題を解決するための手段】
本発明の有頭ねじにあっては、外周面に雄ねじの形成された胴体と胴体の一端に胴体より直径の大きな頭部とを備えたことによって、下受面と胴体の雄ねじとで複数の部材を締結したり、傾斜受面と胴体の雄ねじとで複数の部材を締結したりすることができ、止ねじによる組立間違いを防止し、品質信頼性を向上することができる。本発明の有頭ねじを使用した遊技部品にあっては、上記有頭ねじで組み立てられたことによって、止ねじによる組立間違いを防止することができる。また、本発明の有頭ねじを使用した遊技部品にあっては、胴体の長さを１種類にしたり、胴体の太さを１種類にしたり、頭部の直径を１種類にしたり、下受面の直径を１種類にしたり、傾斜受面の傾斜角度を１種類にしたりすれば、ねじの取付間違いを無くすことができる。
【０００６】
【発明の実施の形態】
図１は一実施形態であって、ａ図は有頭ねじ１の外観を示し、ｂ図は有頭ねじ１の側面を示し、ｃ図およびｄ図は有頭ねじ１の使い方を示し、ｅ図は遊技盤の正面を示す。
【０００７】
ａ図およびｂ図を参照し、有頭ねじ１の構造について説明する。有頭ねじ１は胴体２と頭部３とからなる単一体である。胴体２は直線状の丸棒の外周面に雄ねじ４を形成した形態である。頭部３は胴体２の一端に同軸状に連接するとともに胴体２よりも直径の大きな形態であって、工具受部５と下受面８および傾斜受面９を備える。工具受部５は上面１０から内部に窪む「マイナス」形状または「プラス」形状になっている。「マイナス」形状の工具受部５は工具としてのマイナスドライバーの先端部を受け入れる窪みであり、「プラス」形状の工具受部５は工具としてのプラスドライバーの先端部を受け入れる窪みである。
【０００８】
下受面８は胴体２から径方向外側に平坦に突出するとともに胴体２を周方向に一巡する環状である。傾斜受面９は下受面８の外周縁から頭部３の上面１０の方向である上方に行くに従って徐々に直径が大きくなるとともに下受面８を周方向に一巡する環状である。頭部３の上面１０は胴体２から離れる方向に行くに従って中心部が周縁部よりも突出する凸状弧面または胴体２から離れる方向に行くに従って中心部が周縁部よりも窪む凹状弧面であってもよいが、頭部３の上面１０が図示のように胴体２と直交する平面の形状であれば、頭部３をねじ材料の側方から切断する加工が容易である。
【０００９】
ｃ図およびｄ図を参照し、有頭ねじ１の使い方について説明する。ｃ図では、一方の部材１１には貫通孔１３が形成されている。貫通孔１３の直径は有頭ねじ１における胴体２の直径よりも大きいが下受面８の直径よりも小さい。他方の部材１２に胴体２の雄ねじ４に適合するねじ孔（雌ねじが形成された孔）１４が形成されている。これらの部材１１；１２を有頭ねじ１で結合する場合、一方の部材１１の貫通孔１３と他方の部材１２のねじ孔１４とが互いに同軸状となるように、双方の部材１１；１２が互いに重ね合わされた状態において、有頭ねじ１の胴体２が一方の部材１１の貫通孔１３から他方の部材１２のねじ孔１４に挿入され、有頭ねじ１の工具受部５にドライバーの先端を挿入し、雄ねじ４とねじ孔１４の雌ねじとが互いに噛み合う方向（有頭ねじ１を締結する方向）に、ドライバーが回転操作されると、胴体２の雄ねじ４とねじ孔１４の雌ねじとが互いに噛み合いながら胴体２が他方の部材１２の内部へと進入するのに伴い、下受面８が一方の部材１１における貫通孔１３周りの表面に接触し、その反作用で、一方の部材１１と他方の部材１２とが互いに締結される。
【００１０】
ｄ図では一方の部材１１にはすり鉢状の皿孔１５が形成されている。皿孔１５の斜面は有頭ねじ１の傾斜受面９に適合する角度である。皿孔１５の小径な直径は有頭ねじ１における胴体２の直径よりも大きいが下受面８の直径よりも小さい。これらの部材１１；１２を有頭ねじ１で結合する場合、一方の部材１１の皿孔１５と他方の部材１２のねじ孔１４とが互いに同軸状となるように、双方の部材１１；１２が互いに重ね合わされた状態において、有頭ねじ１の胴体２が一方の部材１１の皿孔１５から他方の部材１２のねじ孔１４に挿入され、有頭ねじ１の工具受部５にドライバーの先端を挿入し、雄ねじ４とねじ孔１４の雌ねじとが互いに噛み合う方向（有頭ねじ１を締結する方向）に、ドライバーが回転操作されると、胴体２の雄ねじ４とねじ孔１４の雌ねじとが互いに噛み合いながら胴体２が他方の部材１２の内部へと進入するのに伴い、傾斜受面９が他方の部材１２における皿孔１５の斜面に接触し、その反作用で、一方の部材１１と他方の部材１２とが互いに締結される。
【００１１】
ｅ図を参照し、前記ａ図−ｄ図に示す有頭ねじ１で組み立てられた遊技部品について説明する。遊技部品としては遊技盤１６に取り付けられる入賞部品１７、可変入賞部品１８、センター部品１９、表示灯部品２０、飾り部品２１などである。これらの遊技部品に使用される有頭ねじ１は胴体２の長さを１種類にしたり、胴体２の太さを１種類にしたり、頭部３の直径を１種類にしたり、下受面８の直径を１種類にしたり、傾斜受面９の傾斜角度を１種類にしたりすれば、ねじの取付間違いを無くすことができる。
【図面の簡単な説明】
【図１】一実施形態であって、ａ図は有頭ねじを示す斜視図、ｂ図は有頭ねじ１を示す側面図、ｃ図およびｄ図は有頭ねじの使い方を示す断面図、ｅ図は有頭ねじ組み立てられた遊技部品を備えた遊技盤を示す正面図。
【符号の説明】
１  有頭ねじ、２  胴体、３  頭部、４  雄ねじ、５  工具受部、８  下受面、９  傾斜受面、１７  入賞部品、１８  可変入賞部品、１９  センター部品、
２０  表示灯部品、２１  飾り部品。
【図１】
2004197910.tif 000003